(57)【要約】【課題】種々のオプション部材をボード本体に着脱自在に装着することにより、低コストで機能の拡張を可能にした筆記ボード装置を提供する。【解決手段】  筆記面を備えたボード本体２の上下部に、上枠３および下枠４が取付けられた筆記ボードにおいて、上枠３および下枠４のいずれか一方または双方の裏面に、オプション部材９を係合可能な係合溝６を形成する。【選択図】図２
2005144688.tif 000002
【特許請求の範囲】
【請求項１】
筆記面を備える上下方向を向くボード本体の上下部に、上枠および下枠を取付けた筆記ボードを有する筆記ボード装置において、
前記上枠および下枠のいずれか一方または双方の裏面に、オプション部材を係合可能な係合溝を形成したことを特徴とする筆記ボード装置。
【請求項２】
筆記ボードにおける上枠の係合溝に、オプション部材として、ペーパーの上端部をクリップして吊下げるペーパークリップ部材に設けた係合部を係合したことを特徴とする請求項１記載の筆記ボード装置。
【請求項３】
ペーパークリップ部材を、上枠の前面に配設されるペーパークリップ部と、その上端より上枠の上方を通って後方に延出し、かつ上枠の後面に沿って垂下し、その下端部前面に係合部が形成された取付部とを備えるものとした請求項２記載の筆記ボード装置。
【請求項４】
上枠の係合溝に係合させるオプション部材の一つを、ボード本体を引掛けて吊下げ可能な引掛け部材としたことを特徴とする請求項１〜３のいずれかに記載の筆記ボード装置。
【請求項５】
下枠の係合溝に係合させるオプション部材の一つを、筆記面の下方において筆記かすを受ける粉受け部材としたことを特徴とする請求項１〜４のいずれか１項に記載の筆記ボード装置。
【請求項６】
下枠の係合溝に係合させるオプション部材の一つを、ボード本体を自立させる自立脚としたことを特徴とする請求項１〜５のいずれか１項に記載の筆記ボード装置。
【請求項７】
上枠または下枠に形成された係合溝の開口部の上辺および下辺のいずれか一方あるいは双方に、相対向して突出する突片を形成し、オプション部材には、該突片に係合可能な係合部を形成したことを特徴とする請求項１〜６のいずれか１項に記載の筆記ボード装置。
【請求項８】
筆記ボード裏面に、吸着用の磁石を取付けた請求項１〜７のいずれか１項に記載の筆記ボード装置。
【発明の詳細な説明】
【技術分野】
【０００１】
本発明は、表面に筆記面を備えた、ホワイトボード、黒板等の筆記ボードを有する筆記ボード装置に関する。
【背景技術】
【０００２】
従来、ホワイトボード、黒板等の筆記ボードにおいて、ボード本体の上部にペーパークリップを設け、下部に筆記かすを受ける粉受けを設けた構造のものは種々提案されている（例えば、特許文献１、特許文献２参照）。
【特許文献１】実開平７−２０８６号公報（図１）
【特許文献２】実公平３−４７９０９号公報（第１図、第２図）
【発明の開示】
【発明が解決しようとする課題】
【０００３】
しかし、上記従来技術では、ボード本体にペーパークリップおよび粉受けを一体に固着しているため、筆記ボードとしてのコストが高くなるとともに、筆記ボードに新たな機能、例えば自立機能、吊下げ機能等を付加しようとすると、さらにコストアップしてしまう。
【０００４】
また、ペーパークリップや粉受けについても次々と機能の改良が施されているが、ペーパークリップおよび粉受けのみを取り替えることは困難であるため、旧製品の筆記ボードに付いているペーパークリップや粉受けについては改良されないまま使用せざるを得ないという問題がある。
【０００５】
さらに、複数の筆記ボードを見やすいように並べ変えたりする場合、個々の筆記ボードに必ずしもペーパークリップや粉受けを必要としない場合もある（縦方向に並べる場合はペーパークリップや粉受けがかえって表示の邪魔になる）が、従来の筆記ボードはペーパークリップおよび粉受けが一体的に付いているため、取り外すことはできず、結果的に不要なペーパークリップや粉受けが付いているコストの高いボードを使用せざるを得ないという問題がある。
【０００６】
本発明は、従来の技術が有する上記のような問題点に鑑み、種々のオプション部材をボード本体に着脱自在に装着しうるようにすることにより、低コストで機能の拡張を可能にした筆記ボード装置を提供することを目的としている。
【課題を解決するための手段】
【０００７】
本発明によると、上記課題は、次のようにして解決される。
(１)  筆記面を備える上下方向を向くボード本体の上下部に、上枠および下枠を取付けた筆記ボードを有する筆記ボード装置において、前記上枠および下枠のいずれか一方または双方の裏面に、オプション部材を係合可能な係合溝を形成する。
【０００８】
(２)  上記(１)項において、筆記ボードにおける上枠の係合溝に、オプション部材として、ペーパーの上端部をクリップして吊下げるペーパークリップ部材に設けた係合部を係合する。
【０００９】
(３)  上記(２)項において、ペーパークリップ部材を、上枠の前面に配設されるペーパークリップ部と、その上端より上枠の上方を通って後方に延出し、かつ上枠の後面に沿って垂下し、その下端部前面に係合部が形成された取付部とを備えるものとする。
【００１０】
(４)  上記(１)〜(３)項のいずれかにおいて、上枠の係合溝に係合させるオプション部材の一つを、ボード本体を引掛けて吊下げ可能な引掛け部材とする。
【００１１】
(５)  上記(１)〜(４)項のいずれかにおいて、下枠の係合溝に係合させるオプション部材の一つを、筆記面の下方において筆記かすを受ける粉受け部材とする。
【００１２】
(６)  上記(１)〜(５)項のいずれかにおいて、下枠の係合溝に係合させるオプション部材の一つを、ボード本体を自立させる自立脚とする。
【００１３】
(７)  上記(１)〜(６)項のいずれかにおいて、上枠または下枠に形成された係合溝の開口部の上辺および下辺のいずれか一方あるいは双方に、相対向して突出する突片を形成し、オプション部材には、該突片に係合可能な係合部を形成する。
【００１４】
(８)  上記(１)〜(７)項のいずれかにおいて、筆記ボード裏面に、吸着用の磁石を取付ける。
【発明の効果】
【００１５】
本発明によると、次のような効果を奏することができる。
(ａ)請求項１記載の発明によると、上枠、下枠のいずれか一方または双方の裏面にオプション部材を係合可能な係合溝を形成したので、筆記ボードの利用形態に応じて所望のオプション部材を装着することが可能となり、ボード本体は単純な構成で、低コストで製造できるとともに、筆記ボードに種々の機能を付加して多種多様な用途に対応することができる。さらに、オプション部材とボード本体とは独立しているので、オプション部材のみを改良して新たな機能を付加することも低コストで行える。
【００１６】
(ｂ)請求項２記載の発明によると、上枠に係合させるオプション部材をペーパークリップ部材としたので、ペーパーの吊下げが可能となる。
【００１７】
(ｃ)請求項３記載の発明によると、ペーパークリップ部材が、上枠を跨ぐようにして強固に取付けられるとともに、体裁がよい。
【００１８】
(ｄ)請求項４記載の発明によると、オプション部材を引掛け部材としたので、ボード本体を、例えばローパーティション等に引掛けて使用することができる。
【００１９】
(ｅ)請求項５記載の発明によると、オプション部材を粉受け部材としたので、筆記かすを受けることができる。
【００２０】
(ｆ)請求項６記載の発明によると、オプション部材を自立脚としたので、ボード本体を自立させることができる。
【００２１】
(ｇ)請求項７記載の発明によると、係合溝の開口部の上下辺の一方あるいは双方に相対向して突出する突片を形成したので、オプション部材の係合部は突片に係合されて確実に上下枠に装着できる。
【００２２】
(ｈ)請求項８記載の発明によると、磁石により、筆記ボードを磁性体の壁面部材等に吸着させて支持させることができる。
【発明を実施するための最良の形態】
【００２３】
以下、本発明の一実施形態を，図面に基づいて説明する。
図１は、本発明の一実施形態における筆記ボードおよびオプション部材としてのペーパークリップ部材の裏面図、図２は図１のII−II線断面図、図３は図１のIII−III線断面図である。
【００２４】
同図に示すように、筆記ボード(１)は、表面が筆記可能な上下方向を向くボード本体(２)と、このボード本体(２)の上端縁および下端縁の各々に取付けられた上枠(３)および下枠(４)と、左右両側に取付けられた縦枠(５)とにより構成されている。
【００２５】
図２に示すように、この上枠(３)および下枠(４)の裏面には長手方向に沿って係合溝(６)が形成されている。この係合溝(６)の開口縁部には相対向する突片(7a)(7b)が形成され、これにより、突片(7a)(7b)の奥は突片(7a)(7b)間に間隔より幅広に構成されている。上枠(３)および下枠(４)の裏面には係合溝(６)の下方に位置して吸着用の磁石(８)が取付けられている。上記係合溝(６)は、以下に示すように、各種オプション部材の取付けに利用されるようになっている。
【００２６】
図３は、オプション部材としてのペーパークリップ部材を示している。
このペーパークリップ部材(９)は、中央の垂直部(10)の後部に取付部(11)、前部にペーパークリップ部(12)が形成されたものである。取付部(11)は、垂直部(10)の上端より、上枠(３)の上方を通って後方へ延出し、次いで上枠(３)の後面に沿って垂下し、その垂下部分の内面に、上記係合溝(６)に嵌合する、断面横向Ｔ字状の係合部(13)が形成されている。
【００２７】
ペーパークリップ部(12)は、垂直部(10)の前方に、この垂直部(10)との間隔が狭まるように傾斜した傾斜部(14)が下方に延びて形成され、この傾斜部(14)の内側の空間部(15)に、クリップローラ(16)が挿入された構成である。このクリップローラ(16)はペーパークリップ部(12)の全長にわたって配置されている。
【００２８】
図４は、ペーパークリップ部材(９)を上枠(３)に取付けた状態を示している。
同図に示すように、ペーパークリップ部材(９)の係合部(13)を上枠(３)の係合溝(６)に係合させることにより、ペーパークリップ部材(９)は上枠(３)の上端部に取付けられている。ペーパークリップ部材(９)の係合操作は、係合溝(６)の横から係合部(13)を挿入してスライドさせることにより行われる。
クリップローラ(16)と垂直部(10)との間に下からペーパー(Ｐ)を挿入し、そのままペーパー(Ｐ)を引き下げると、傾斜部(14)とクリップローラ(16)とのくさび作用により、クリップローラ(16)と垂直部(10)との間にペーパー(Ｐ)が挟み込まれ、ペーパー(Ｐ)はボード本体(２)の前面に吊り下げられる。
【００２９】
図５は、オプション部材としての引掛け部材を上枠(３)に取付けた状態を示している。
同図に示すように、係合溝(６)に係合する係合部(13)の先端に円筒軸部(17)が形成され、この円筒軸部(17)に引掛け部材(18)が回転自在に支持されている。引掛け部材(18)に形成された両側片(19)により、この円筒軸部(17)の両側端を挟み、円筒軸部(17)の中心に挿入された軸(20)により両側片(19)を支持している。この引掛け部材(18)を、例えば間仕切り(21)等に引掛けて、筆記ボード(１)を吊下げて使用することができる。引掛け部材(18)は、使用しないときは鎖線で示す位置に折畳んでおくことができる。
【００３０】
図６は、オプション部材としての粉受け部材を下枠(４)に取付けた状態を示している。
粉受け部材(22)は、前部に粉受け部(23)、後部に取付部(24)が形成され、この粉受け部(23)と取付部(24)との間に下枠(４)が嵌まる凹部(25)が形成されたものである。取付部(24)の内面に、下枠(４)の係合溝(６)に嵌合する形状の係合部(13)が形成されており、この係合部(13)を係合溝(６)に係合させることにより、粉受け部材(22)は下枠(４)の下端部に取付けられている。
【００３１】
図７は、オプション部材としての自立脚を下枠(４)に取付けた状態を示している。
自立脚(26)は、上面に下枠(４)の嵌まる凹部(27)が形成され、上部に下枠(４)の係合溝(６)に嵌合する形状の係合部(13)が形成されており、この係合部(13)を係合溝(６)に係合させることにより、筆記ボード(１)は自立脚(25)に支持されて起立せしめられる。なお、図示の例では、筆記ボード(１)を所定の傾斜角度に設定しているが、垂直状態で起立させることも可能である。
【００３２】
図８は、上枠(３)の他の構造例を示す断面図である。
同図に示すように、図２における上下の突片(7a)(7b)のうち、下部の突片(7b)を除き、上部の突片(7a)のみで係合溝(６)を構成しており、係合部(13)(図示せず)はこの係合溝(６)に嵌まるほぼＬ字状の断面形状とする。係合部(13)は突片(7a)と係合溝(６)の底面に係止するため、係合溝(６)から外れることがない。なお、図示していないが、下枠も図７と同様、または上下対称の形状とすることができる。
【００３３】
上記のように、上枠(３)および下枠(４)の裏面に、オプション部材を係合可能な係合溝(６)を形成したので、筆記ボード(１)の利用形態に応じて所望のオプション部材を装着することが可能となり、ボード本体(２)は単純な構成で、低コストで製造できるとともに、筆記ボード(１)に種々の機能を付加して、多種多様な用途に対応することができる。
【００３４】
さらに、オプション部材とボード本体(２)とは独立しているので、オプション部材のみを改良して、新たな機能を付加することも低コストで行える。
【図面の簡単な説明】
【００３５】
【図１】本発明の一実施形態における筆記ボードおよびペーパークリップ部材を上下に離して示す裏面図である。
【図２】図１のII−II線断面図である。
【図３】図１のIII−III線断面図である。
【図４】ペーパークリップ部材を上枠に取付けた状態の縦断側面図である。
【図５】引掛け部材を上枠に取付けた状態の縦断側面図である。
【図６】粉受け部材を上枠に取付けた状態の縦断側面図である。
【図７】自立脚を下枠に取付けた状態の縦断側面図である。
【図８】係合溝の他の構造例を示す縦断側面図である。
【符号の説明】
【００３６】
(１)筆記ボード
(２)ボード本体
(３)上枠
(４)下枠
(５)縦枠
(６)係合溝
(7a)(7b)突片
(８)磁石
(９)ペーパークリップ部材(オプション部材)
(10)垂直部
(11)取付部
(12)ペーパークリップ部
(13)係合部
(14)傾斜部
(15)空間部
(16)クリップローラ
(17)円筒軸部
(18)引掛け部材(オプション部材)
(19)両側片
(20)軸
(21)間仕切り
(22)粉受け部材(オプション部材)
(23)粉受け部
(24)取付部
(25)凹部
(26)自立脚(オプション部材)
(27)凹部
【図１】
2005144688.tif 000003
【図２】
2005144688.tif 000004
【図３】
2005144688.tif 000005
【図４】
2005144688.tif 000006
【図５】
2005144688.tif 000007
【図６】
2005144688.tif 000008
【図７】
2005144688.tif 000009
【図８】
2005144688.tif 000010